(57)【要約】【課題】搬送する缶が凹むことを安定して抑制でき、簡素な構造でコンパクトに装置を構成できる缶搬送装置を提供する。【解決手段】上下方向に延び、複数の缶Ｐが搬送される搬送路１と、搬送路１の上端部と下端部との間の中間部に設けられる保持移動機構２と、を備え、保持移動機構２は、搬送路１の缶Ｐを保持可能な保持手段３と、保持手段３のうち缶Ｐを保持する保持部５ａを、搬送路１に沿って下側へ移動させる移動手段４と、を有する。【選択図】図３
2020158264.tif 000002
【特許請求の範囲】
【請求項１】
上下方向に延び、複数の缶が搬送される搬送路と、
前記搬送路の上端部と下端部との間の中間部に設けられる保持移動機構と、を備え、
前記保持移動機構は、
前記搬送路の缶を保持可能な保持手段と、
前記保持手段のうち缶を保持する保持部を、前記搬送路に沿って下側へ移動させる移動手段と、を有する、
缶搬送装置。
【請求項２】
前記保持手段は、
缶の底部に接触する前記保持部を含むベルトと、
前記ベルトに開口するエア孔を通して缶の底部をエア吸引するエア吸引源と、を有する、
請求項１に記載の缶搬送装置。
【請求項３】
前記ベルトは、環状であり、
前記移動手段は、
前記ベルトが巻き回される複数のプーリと、
複数の前記プーリのうち少なくとも１つを回転させる駆動部と、を有する、
請求項２に記載の缶搬送装置。
【請求項４】
前記搬送路の前記中間部は、下側へ向かうに従い水平方向に向けて延びる、
請求項１から３のいずれか１項に記載の缶搬送装置。
【請求項５】
前記搬送路のうち前記保持移動機構よりも下側に位置する部分に配置され、前記搬送路の缶を検出可能な第１検出手段と、
前記搬送路のうち前記第１検出手段よりも下側に位置する部分に配置され、前記搬送路の缶を検出可能な第２検出手段と、
前記第１検出手段および前記第２検出手段の検出結果に基づいて、前記移動手段を制御する制御部と、を備える、
請求項１から４のいずれか１項に記載の缶搬送装置。
【請求項６】
前記制御部は、
前記第１検出手段および前記第２検出手段が缶を検出しない場合は、前記移動手段により前記保持部を、第１移動速度で移動させ、
前記第１検出手段が缶を検出せず前記第２検出手段が缶を検出した場合は、前記移動手段により前記保持部を、前記第１移動速度よりも低速の第２移動速度で移動させ、
前記第１検出手段および前記第２検出手段が缶を検出した場合は、前記移動手段による前記保持部の移動を停止する、
請求項５に記載の缶搬送装置。
【請求項７】
前記搬送路の上下方向の高さが、５ｍ以上である、
請求項１から６のいずれか１項に記載の缶搬送装置。
【発明の詳細な説明】
【技術分野】
【０００１】
本発明は、缶搬送装置に関する。
【背景技術】
【０００２】
従来、例えば特許文献１の容器供給量制御装置が知られている。この容器供給量制御装置は、容器を搬送するコンベヤと、このコンベヤによって搬送されてきた容器を所定のピッチに切り離すインフィードスクリューと、これら容器を容器処理装置内に供給する入口ホイールと、コンベヤの側部のインフィードスクリューよりも上流側に配置された一対のロータリホイールと、ロータリホイールを駆動する駆動手段と、ロータリホイールとインフィードスクリューとの間に配置されてコンベヤ上の容器の滞留量を検知するセンサと、このセンサにより、滞留する容器の量が多くなったことを検知した際に、駆動手段の回転速度を減速するよう制御するコントローラと、を備える。この容器供給量制御装置では、後方の容器の押し圧が前方の容器に作用して容器を傷付けることが抑えられる。
【先行技術文献】
【特許文献】
【０００３】
【特許文献１】特許第４１４７６２６号公報
【発明の概要】
【発明が解決しようとする課題】
【０００４】
例えば製缶工場において、飲料等が充填される前の缶（空缶）を搬送する場合に、缶が、上の階層から下の階層へとシュート等の搬送路を上下方向に搬送されることがある。この場合、搬送路の高低差が例えば数ｍ以上と大きくなると、搬送路の下端部などに位置する缶に対して、この缶よりも上側に位置する複数の缶から大きな圧力（背圧）が作用し、缶が凹むおそれがある。缶の軽量化や増速化が進み缶の搬送速度は高まっており、缶を搬送する際に缶の凹みを安定して抑えることが要求されている。また、缶搬送装置を簡素な構造でコンパクトに構成することも要求される。
【０００５】
上記事情に鑑み、本発明は、搬送する缶が凹むことを安定して抑制でき、簡素な構造でコンパクトに装置を構成できる缶搬送装置を提供することを目的の一つとする。
【課題を解決するための手段】
【０００６】
本発明の缶搬送装置の一つの態様は、上下方向に延び、複数の缶が搬送される搬送路と、前記搬送路の上端部と下端部との間の中間部に設けられる保持移動機構と、を備え、前記保持移動機構は、前記搬送路の缶を保持可能な保持手段と、前記保持手段のうち缶を保持する保持部を、前記搬送路に沿って下側へ移動させる移動手段と、を有する。
【０００７】
本発明の缶搬送装置では、上下方向に延びる搬送路の途中に、保持移動機構が設けられる。保持移動機構のうち、保持手段において缶を保持した保持部は、移動手段により搬送路の下側へと移動させられる。すなわち、搬送路の上下方向の中間部に位置する保持移動機構により、搬送路の缶が保持された状態で、缶の自重による移動速度ではない所定の速度で、缶が下側へ移動させられる。これにより、搬送路の缶に対して、この缶よりも上側に位置する複数の缶から大きな圧力が作用することを抑制できる。
【０００８】
具体的には、保持移動機構よりも下側に位置する搬送路の缶に対して、保持移動機構およびその上側に位置する搬送路の缶から、大きな圧力が作用することが抑えられる。また、搬送路のうち保持移動機構よりも上側に位置する部分の上下方向の高低差が小さく抑えられるため、保持移動機構およびその上側に位置する搬送路の缶に対して、この缶よりも上側に位置する複数の缶から大きな圧力が作用することが抑えられる。
したがって本発明によれば、搬送路を搬送される缶が凹むことを安定して抑制できる。
【０００９】
また、例えば特許文献１（特許第４１４７６２６号公報）に記載されるようなインフィードスクリュー、一対のロータリホイール、入口ホイール等を備えた複雑な構造は、本発明では必須の構成要件ではない。本発明は構造が簡素であり、かつ装置の外形がコンパクトに抑えられる。
本発明の缶搬送装置は、既存の缶の搬送経路に適用すること、つまり後付けで装置を設置することが容易であり、設備費用を削減できる。
【００１０】
上記缶搬送装置において、前記保持手段は、缶の底部に接触する前記保持部を含むベルトと、前記ベルトに開口するエア孔を通して缶の底部をエア吸引するエア吸引源と、を有することが好ましい。
【００１１】
この場合、保持移動機構の保持手段が、バキューム構造によって缶の底部をベルトの保持部に吸着させる。簡素な構造を用いて、缶を安定して保持しつつ下側へ移動させることができる。
【００１２】
上記缶搬送装置において、前記ベルトは、環状であり、前記移動手段は、前記ベルトが巻き回される複数のプーリと、複数の前記プーリのうち少なくとも１つを回転させる駆動部と、を有することが好ましい。
【００１３】
この場合、環状のベルトおよび移動手段により、ベルトで保持した缶を連続的に効率よく下側へ移動させることができる。
【００１４】
上記缶搬送装置において、前記搬送路の前記中間部は、下側へ向かうに従い水平方向に向けて延びることが好ましい。
【００１５】
例えば上記構成と異なり、搬送路の中間部が鉛直方向に沿って延びる場合と比べて、上記構成では、保持移動機構の上下方向の全高を小さく抑えることができる。また上記構成と異なり、搬送路の中間部が水平方向に沿って延びる場合と比べて、上記構成では、保持移動機構の水平方向の全幅を小さく抑えることができる。つまり、缶搬送装置を上下方向および水平方向によりコンパクトに構成できる。
また、例えば缶搬送装置が水平方向に複数並べられて設置される場合には、水平方向に隣り合う缶搬送装置の各保持移動機構の端部同士を、互いに接触させることなく接近配置することができ、複数の缶搬送装置の設置スペースを小さく抑えることができる。
【００１６】
上記缶搬送装置において、前記搬送路のうち前記保持移動機構よりも下側に位置する部分に配置され、前記搬送路の缶を検出可能な第１検出手段と、前記搬送路のうち前記第１検出手段よりも下側に位置する部分に配置され、前記搬送路の缶を検出可能な第２検出手段と、前記第１検出手段および前記第２検出手段の検出結果に基づいて、前記移動手段を制御する制御部と、を備えることが好ましい。
上記缶搬送装置において、前記制御部は、前記第１検出手段および前記第２検出手段が缶を検出しない場合は、前記移動手段により前記保持部を、第１移動速度で移動させ、前記第１検出手段が缶を検出せず前記第２検出手段が缶を検出した場合は、前記移動手段により前記保持部を、前記第１移動速度よりも低速の第２移動速度で移動させ、前記第１検出手段および前記第２検出手段が缶を検出した場合は、前記移動手段による前記保持部の移動を停止することが好ましい。
【００１７】
この場合、搬送路のうち、保持移動機構よりも下側の部分にストックされている缶の数に応じて、保持移動機構が保持する缶の移動速度や移動の停止を制御できる。
具体的には、搬送路の保持移動機構よりも下側の部分にストックされている複数の缶のうち、最も上側に位置する缶が、第１検出手段および第２検出手段よりも下側に位置する場合には、制御部が保持移動機構により、搬送路の下側へ向けて缶を高速の第１移動速度で移動させる。
また、搬送路の保持移動機構よりも下側の部分にストックされている複数の缶のうち、最も上側に位置する缶が、上下方向において第１検出手段と第２検出手段との間に位置する場合には、制御部が保持移動機構により、搬送路の下側へ向けて缶を低速の第２移動速度で移動させる。
また、搬送路の保持移動機構よりも下側の部分にストックされている複数の缶のうち、最も上側に位置する缶が、第１検出手段および第２検出手段の上側に位置する場合には、保持移動機構が缶を保持した状態のまま、制御部が、缶の移動を停止させる。
【００１８】
したがって、搬送路を搬送される缶の移動速度が最適化される。缶搬送装置の後工程に安定して缶を供給することができ、後工程での缶の処理が安定する。また搬送路において、缶が詰まったり潰れたりする不具合を抑制できる。
【００１９】
上記缶搬送装置において、前記搬送路の上下方向の高さが、５ｍ以上であることが好ましい。
【００２０】
搬送路の上下方向の高さ（つまり高低差）が５ｍ以上であると、従来の構造の場合には、搬送路を搬送される缶が背圧により凹みやすかった。一方、本発明によれば、搬送路の高低差が５ｍ以上であっても、搬送路の上下方向の中間部に保持移動機構が設けられるため、搬送路を搬送される缶が背圧により凹むことを安定して抑制できる。
【発明の効果】
【００２１】
本発明の一つの態様の缶搬送装置によれば、搬送する缶が凹むことを安定して抑制でき、簡素な構造でコンパクトに装置を構成できる。
【図面の簡単な説明】
【００２２】
【図１】本発明の一実施形態の缶搬送装置、およびインサイドスプレー装置を示す側面図である。
【図２】本発明の一実施形態の缶搬送装置を示す斜視図である。
【図３】本発明の一実施形態の缶搬送装置を示す概略図である。
【発明を実施するための形態】
【００２３】
本発明の一実施形態の缶搬送装置１０について、図面を参照して説明する。
本実施形態の缶搬送装置１０は、例えば製缶工場に設置される。製缶工場は、複数の缶Ｐを単列に整列して後工程に排出するエアフローコンベア装置（図示省略）と、缶Ｐの内面に塗装を施すインサイドスプレー装置（缶内面塗装装置）５０と、エアフローコンベア装置とインサイドスプレー装置５０とを繋ぐ缶Ｐの搬送経路を構成する缶搬送装置１０と、を備える。
図１〜図３に示すように、本実施形態の缶搬送装置１０は、上下方向に延び、複数の缶Ｐが搬送される搬送路１と、搬送路１の上端部と下端部との間の中間部に設けられる保持移動機構２と、第１検出手段１１と、第２検出手段１２と、制御部１３と、を備える。
【００２４】
製缶工場は、上下方向に並ぶ複数（本実施形態では３つ）の階層Ａ、Ｂ、Ｃを有する。各階層Ａ、Ｂ、Ｃは、各種の装置が設置される床部をそれぞれ有する。
エアフローコンベア装置は、３つの階層Ａ、Ｂ、Ｃのうち、第１の階層Ａに設置される。
インサイドスプレー装置５０は、第１の階層Ａよりも下側に位置する第２の階層Ｂに設置される。インサイドスプレー装置５０は、第２の階層Ｂに、水平方向に並んで複数設けられる。
【００２５】
缶搬送装置１０のうち保持移動機構２、第１検出手段１１および第２検出手段１２は、上下方向において第１の階層Ａと第２の階層Ｂとの間に位置する第３の階層Ｃに設置される。保持移動機構２、第１検出手段１１および第２検出手段１２の組は、第３の階層Ｃに、水平方向に並んで複数設けられる。つまり缶搬送装置１０は、水平方向に並んで複数設けられる。
缶搬送装置１０のうち搬送路１は、複数の階層Ａ、Ｂ、Ｃにわたって上下方向に延びる。搬送路１の上下方向の高さ、すなわち搬送路１の上端と下端との間の上下方向の長さ（高低差）は、例えば５ｍ以上である。
【００２６】
缶Ｐは、飲料等が充填される前の空缶であり、有底円筒状である。缶Ｐは、例えば、アルミニウム合金製である。缶Ｐは、第１の階層Ａのエアフローコンベア装置から、缶搬送装置１０の搬送路１を通って第２の階層Ｂのインサイドスプレー装置５０へと、下側へ向けて搬送される。缶Ｐは、缶軸が水平方向に延びる転がり姿勢（寝かせた姿勢）とされて、搬送路１内を上から下側へ向けて搬送される。
【００２７】
なお本実施形態では、各図に３次元直交座標系としてＸＹＺ座標系を示す。ＸＹＺ座標系において、Ｚ軸方向は、＋Ｚ側を上側とし、−Ｚ側を下側とする上下方向（鉛直方向）である。Ｘ軸方向は、Ｚ軸方向と直交する第１の水平方向（所定の水平方向）であり、本実施形態では、複数のインサイドスプレー装置５０が配列する方向であり、複数の缶搬送装置１０が配列する方向である。Ｘ軸方向のうち、＋Ｘ側は一方側であり、−Ｘ側は他方側である。Ｙ軸方向は、Ｚ軸方向およびＸ軸方向と直交する第２の水平方向である。
【００２８】
搬送路１は、缶シューターの構造を有する。図２および図３に示すように、搬送路１は、缶軸方向において缶Ｐの開口部と対向するトップガイド１ａと、缶軸方向において缶Ｐの底部と対向するボトムガイド１ｂと、缶軸方向においてトップガイド１ａとボトムガイド１ｂとの間に配置され、缶Ｐの胴部に接触可能な複数のレール１ｃと、を有する。トップガイド１ａ、ボトムガイド１ｂおよびレール１ｃは、搬送路１の延在方向（つまり缶Ｐの搬送方向）に沿ってそれぞれ延びる。
【００２９】
図１において、搬送路１の上端部は、エアフローコンベア装置と接続される。搬送路１の上端部は、図示しないターンオーバー装置を介してエアフローコンベア装置と接続されてもよい。ターンオーバー装置は、缶軸が上下方向に延びる正立姿勢とされた缶Ｐを、エアフローコンベア装置から受け入れ、缶Ｐの姿勢を、缶軸が水平方向に延びる転がり姿勢へと変えて、搬送路１へ送る。本実施形態では、搬送路１の上端部が、鉛直方向に沿って延びる。搬送路１の上端部は、第１の階層Ａおよび第３の階層Ｃにわたって延びる。
【００３０】
搬送路１の下端部は、インサイドスプレー装置５０と接続される。具体的に、搬送路１の下端部は、インサイドスプレー装置５０が備えるスターホイールの複数のポケットのうち、所定位置に配置された１つのポケットと対向する。本実施形態では、搬送路１の下端部が、下側へ向かうに従いＸ軸方向の他方側へ向けて延びる。搬送路１の下端部は、第３の階層Ｃおよび第２の階層Ｂにわたって延びる。
【００３１】
搬送路１の上端部と下端部との間に位置する中間部は、下側へ向かうに従いＸ軸方向の一方側（つまり水平方向）に向けて延びる。搬送路１の中間部は、鉛直方向に対して傾斜して延びる。搬送路１の中間部は、水平方向（本実施形態ではＸ軸方向）に対して傾斜して延びる。搬送路１の中間部は、第３の階層Ｃに配置される。
【００３２】
図２および図３に示すように、保持移動機構２は、搬送路１の缶Ｐを保持可能な保持手段３と、保持手段３のうち缶Ｐを保持する保持部５ａを、搬送路１に沿って下側へ移動させる移動手段４と、支持台１４と、を有する。
【００３３】
保持手段３は、缶Ｐの底部に接触する保持部５ａを含むベルト５と、ベルト５に開口するエア孔（図示省略）を通して缶Ｐの底部をエア吸引するエア吸引源６と、ベルト５の保持部５ａに隣接配置され、保持部５ａに開口するエア孔、およびエア吸引源６と繋がるバキューム室７と、を有する。
【００３４】
ベルト５は、環状である。ベルトは、保持部５ａと、複数のエア孔と、を有する。
保持部５ａは、ベルト５のうち搬送路１に露出される部分であり、搬送路１を搬送される缶Ｐの底部と対向する部分である。保持部５ａは、搬送路１の延在方向に沿って延びる。保持部５ａは、ベルト５の一部であり、かつ搬送路１のボトムガイド１ｂの一部を構成する。保持部５ａは、搬送路１の一部１ｄに露出される。搬送路１の一部１ｄは、直線状に延びる。
【００３５】
複数のエア孔は、ベルト５が延びる方向に互いに間隔をあけて配置される。保持部５ａに位置する複数のエア孔は、搬送路１の延在方向に沿って配列する。エア孔は、ベルト５をベルト５の厚さ方向に貫通する貫通孔である。
【００３６】
エア吸引源６は、例えばブロワファン等である。エア吸引源６は、例えば配管やホース等の配管部材１５およびバキューム室７を通して、ベルト５の保持部５ａに位置するエア孔と連通される。
【００３７】
バキューム室７は、ベルト５の保持部５ａに隣接して配置される室（減圧室）である。バキューム室７は、保持部５ａを介して搬送路１の一部１ｄと接近して配置される。搬送路１の一部１ｄとバキューム室７とは、保持部５ａを間に挟んで互いに反対側に位置する。搬送路１の一部１ｄ、保持部５ａおよびバキューム室７は、搬送路１の一部１ｄを搬送される缶Ｐの缶軸方向に、互いに並んで配置される。
エア吸引源６が配管部材１５、バキューム室７および保持部５ａのエア孔を通して、搬送路１の一部１ｄからエアを吸引することにより、缶Ｐの底部が、保持部５ａに吸着されて一時的に保持される。
【００３８】
移動手段４は、ベルト５が巻き回される複数のプーリ１６と、複数のプーリ１６のうち少なくとも１つを回転させる駆動部１７と、を有する。
プーリ１６は、軸受によりプーリ軸回りに回転自在に支持される。複数のプーリ１６のうち少なくとも１つ以上は、プーリ軸に直交するプーリ径方向に位置調整可能であり、これにより、ベルト５のテンション（張力）を所定値以上に維持することができる。
駆動部１７は、例えばモータ等である。
【００３９】
支持台１４は、保持手段３および移動手段４を支持する。支持台１４は、例えば、フレーム部材等により構成される。支持台１４は、第３の階層Ｃの床部に固定される。
【００４０】
図１および図３に示すように、第１検出手段１１は、搬送路１のうち保持移動機構２よりも下側に位置する部分に配置され、搬送路１の缶Ｐを検出可能である。第２検出手段１２は、搬送路１のうち第１検出手段１１よりも下側に位置する部分に配置され、搬送路１の缶Ｐを検出可能である。
【００４１】
第１検出手段１１および第２検出手段１２は、例えば、アルミニウム合金製の缶Ｐを検出可能な渦電流式センサや反射式センサ等である。第１検出手段１１および第２検出手段１２は、例えば、所定時間以上にわたって缶Ｐを検出したか否かにより、搬送路１の缶Ｐの有無を検出する。すなわち、搬送路１を単に下側に通過する缶Ｐについては、第１検出手段１１および第２検出手段１２の検出対象とはならない。
【００４２】
制御部１３は、第１検出手段１１および第２検出手段１２の検出結果に基づいて、移動手段４の駆動部１７を制御する。
具体的に、制御部１３は、第１検出手段１１および第２検出手段１２が缶Ｐを検出しない場合は、移動手段４の駆動部１７により保持部５ａを、第１移動速度で搬送路１の下側へ移動させる。
また制御部１３は、第１検出手段１１が缶Ｐを検出せず第２検出手段１２が缶Ｐを検出した場合は、移動手段４の駆動部１７により保持部５ａを、第１移動速度よりも低速の第２移動速度で搬送路１の下側へ移動させる。
また制御部１３は、第１検出手段１１および第２検出手段１２が缶Ｐを検出した場合は、移動手段４の駆動部１７による保持部５ａの移動を停止する。
【００４３】
以上説明した本実施形態の缶搬送装置１０では、上下方向に延びる搬送路１の途中に、保持移動機構２が設けられる。保持移動機構２のうち、保持手段３において缶Ｐを保持した保持部５ａは、移動手段４により搬送路１の下側へと移動させられる。すなわち、搬送路１の上下方向の中間部に位置する保持移動機構２により、搬送路１の缶Ｐが保持された状態で、缶Ｐの自重による移動速度ではない所定の速度で、缶Ｐが下側へ移動させられる。これにより、搬送路１の缶Ｐに対して、この缶Ｐよりも上側に位置する複数の缶Ｐから大きな圧力が作用することを抑制できる。
【００４４】
具体的には、保持移動機構２よりも下側に位置する搬送路１の缶Ｐに対して、保持移動機構２およびその上側に位置する搬送路１の缶Ｐから、大きな圧力が作用することが抑えられる。また、搬送路１のうち保持移動機構２よりも上側に位置する部分の上下方向の高低差が小さく抑えられるため、保持移動機構２およびその上側に位置する搬送路１の缶Ｐに対して、この缶Ｐよりも上側に位置する複数の缶Ｐから大きな圧力が作用することが抑えられる。
したがって本実施形態によれば、搬送路１を搬送される缶Ｐが凹むことを安定して抑制できる。
【００４５】
また、例えば特許文献１（特許第４１４７６２６号公報）に記載されるようなインフィードスクリュー、一対のロータリホイール、入口ホイール等を備えた複雑な構造は、本実施形態では必須の構成要件ではない。本実施形態は構造が簡素であり、かつ装置の外形がコンパクトに抑えられる。
本実施形態の缶搬送装置１０は、既存の缶Ｐの搬送経路に適用すること、つまり後付けで装置を設置することが容易であり、設備費用を削減できる。
【００４６】
また本実施形態では、保持手段３が、保持部５ａを含むベルト５と、エア吸引源６と、を有する。また保持手段３は、さらにバキューム室７を有する。
この場合、保持移動機構２の保持手段３が、バキューム構造によって缶Ｐの底部をベルト５の保持部５ａに吸着させる。簡素な構造を用いて、缶Ｐを安定して保持しつつ下側へ移動させることができる。
【００４７】
また本実施形態では、ベルト５が環状であり、移動手段４が、複数のプーリ１６と、駆動部１７と、を有する。
この場合、環状のベルト５および移動手段４により、ベルト５で保持した缶Ｐを連続的に効率よく下側へ移動させることができる。
【００４８】
また本実施形態では、搬送路１のうち上端部と下端部との間に位置して保持移動機構２が設けられる中間部が、下側へ向かうに従い水平方向に向けて傾斜して延びる。
例えば本実施形態と異なり、搬送路１の中間部が鉛直方向に沿って延びる場合と比べて、本実施形態の上記構成では、保持移動機構２の上下方向の全高を小さく抑えることができる。また本実施形態と異なり、搬送路１の中間部が水平方向に沿って延びる場合と比べて、本実施形態の上記構成では、保持移動機構２の水平方向の全幅を小さく抑えることができる。つまり、缶搬送装置１０を上下方向および水平方向によりコンパクトに構成できる。
また本実施形態のように、缶搬送装置１０が水平方向（図１ではＸ軸方向）に複数並べられて設置される場合には、水平方向に隣り合う缶搬送装置１０の各保持移動機構２の端部同士を、互いに接触させることなく接近配置することができ、複数の缶搬送装置１０の設置スペースを小さく抑えることができる。
【００４９】
また本実施形態では、缶搬送装置１０が、搬送路１のうち保持移動機構２よりも下側に配置される第１検出手段１１および第２検出手段１２と、制御部１３と、を備えている。そして制御部１３は、第１検出手段１１および第２検出手段１２が缶Ｐを検出しない場合は、移動手段４により保持部５ａを第１移動速度で移動させ、第１検出手段１１が缶Ｐを検出せず第２検出手段１２が缶Ｐを検出した場合は、移動手段４により保持部５ａを第１移動速度よりも低速の第２移動速度で移動させ、第１検出手段１１および第２検出手段１２が缶Ｐを検出した場合は、移動手段４による保持部５ａの移動を停止する。
【００５０】
つまり本実施形態では、搬送路１のうち、保持移動機構２よりも下側の部分にストックされている缶Ｐの数に応じて、保持移動機構２が保持する缶Ｐの移動速度や移動の停止を制御できる。
具体的には、搬送路１の保持移動機構２よりも下側の部分にストックされている複数の缶Ｐのうち、最も上側に位置する缶Ｐが、第１検出手段１１および第２検出手段１２よりも下側に位置する場合には、制御部１３が保持移動機構２により、搬送路１の下側へ向けて缶Ｐを高速の第１移動速度で移動させる。
また、搬送路１の保持移動機構２よりも下側の部分にストックされている複数の缶Ｐのうち、最も上側に位置する缶Ｐが、上下方向において第１検出手段１１と第２検出手段１２との間に位置する場合には、制御部１３が保持移動機構２により、搬送路１の下側へ向けて缶Ｐを低速の第２移動速度で移動させる。
また、搬送路１の保持移動機構２よりも下側の部分にストックされている複数の缶Ｐのうち、最も上側に位置する缶Ｐが、第１検出手段１１および第２検出手段１２の上側に位置する場合には、保持移動機構２が缶Ｐを保持した状態のまま、制御部１３が、缶Ｐの移動を停止させる。
【００５１】
したがって、搬送路１を搬送される缶Ｐの移動速度が最適化される。缶搬送装置１０の後工程（本実施形態ではインサイドスプレー装置５０）に安定して缶Ｐを供給することができ、後工程での缶Ｐの処理が安定する。また搬送路１において、缶Ｐが詰まったり潰れたりする不具合を抑制できる。
【００５２】
また本実施形態では、搬送路１の上下方向の高さが、５ｍ以上である。
搬送路１の上下方向の高さ（つまり高低差）が５ｍ以上であると、従来の構造の場合には、搬送路１を搬送される缶Ｐが背圧により凹みやすかった。一方、本実施形態によれば、搬送路１の高低差が５ｍ以上であっても、搬送路１の上下方向の中間部に保持移動機構２が設けられるため、搬送路１を搬送される缶Ｐが背圧により凹むことを安定して抑制できる。
【００５３】
なお、本発明は前述の実施形態に限定されず、例えば下記に説明するように、本発明の趣旨を逸脱しない範囲において構成の変更等が可能である。
【００５４】
前述の実施形態では、缶搬送装置１０の後工程にインサイドスプレー装置５０が設けられる一例を挙げたが、これに限らない。缶搬送装置１０の後工程に、インサイドスプレー装置５０以外の例えばボトルネッカー装置等が設けられてもよい。
【００５５】
その他、本発明の趣旨から逸脱しない範囲において、前述の実施形態、変形例およびなお書き等で説明した各構成（構成要素）を組み合わせてもよく、また、構成の付加、省略、置換、その他の変更が可能である。また本発明は、前述した実施形態によって限定されず、特許請求の範囲によってのみ限定される。
【産業上の利用可能性】
【００５６】
本発明の缶搬送装置によれば、搬送する缶が凹むことを安定して抑制でき、簡素な構造でコンパクトに装置を構成できる。したがって、産業上の利用可能性を有する。
【符号の説明】
【００５７】
１…搬送路、２…保持移動機構、３…保持手段、４…移動手段、５…ベルト、５ａ…保持部、６…エア吸引源、１０…缶搬送装置、１１…第１検出手段、１２…第２検出手段、１３…制御部、１６…プーリ、１７…駆動部、Ｐ…缶
【図１】
2020158264.tif 000003
【図２】
2020158264.tif 000004
【図３】
2020158264.tif 000005